(57)【要約】【課題】  複数のサービスエリアにおいて簡単な構成で緊急放送を放送する。【解決手段】  送信局２、４、６、８が、デジタルテレビジョン信号を、それぞれが対応するサービスエリア２ａ、４ａ、６ａ、８ａに送信し、サービスエリア２ａ、４ａ、６ａ、８ａは、少なくとも一部が重複し、緊急放送の必要時に送信局２がデジタルテレビジョン信号を介して送信している緊急放送情報と同じ内容の緊急放送情報をデジタルテレビジョン信号を介して、送信局４、６、８が送信するように、送信局２が送信局４、６、８に指示する。【選択図】  図１
2013074421.tif 000002
【特許請求の範囲】
【請求項１】
デジタルテレビジョン信号を、それぞれが対応するサービスエリアに送信している複数の送信手段を有し、
前記複数の送信手段のうち特定の送信手段のサービスエリアは、前記複数の送信手段のうち前記特定の送信手段以外の送信手段である他の送信手段のサービスエリアと少なくとも一部が重複し、緊急放送の必要時に前記特定の送信手段が前記デジタルテレビジョン信号を介して送信している緊急放送情報と同じ内容の緊急放送情報をデジタルテレビジョン信号を介して、前記複数の送信手段のうち前記特定の送信手段以外の送信手段である他の送信手段が送信するように、前記特定の送信手段が前記他の送信手段に指示する配信情報切換システム。
【請求項２】
請求項１記載の配信情報切換システムにおいて、前記特定の送信手段が、前記緊急放送情報と共に緊急放送への切換指示を、前記他の送信手段に伝送し、前記他の送信手段は、前記切換指示に応じて前記緊急放送情報を前記デジタルテレビジョン放送信号を介して送信する配信情報切換システム。
【請求項３】
請求項１記載の配信情報切換システムにおいて、前記複数の送信手段は、ネットワークを介して互いに通信可能に構成されると共に、前記緊急放送情報の情報源とも通信可能に構成され、前記特定の送信手段が前記他の送信手段に前記ネットワークを介して前記緊急放送の指示を伝送したとき、前記複数の送信手段は、前記情報源から前記ネットワークを介して入手した前記緊急放送情報を送信する配信情報切換システム。
【請求項４】
デジタルテレビジョン信号を、それぞれが対応するサービスエリアに送信している複数の送信手段を有し、
前記複数の送信手段のうち特定の送信手段のサービスエリアは、前記複数の送信手段のうち前記特定の送信手段以外の送信手段である他の送信手段のサービスエリアと少なくとも一部が重複し、前記特定の送信手段が、緊急放送情報を前記デジタルテレビジョン信号を介して送信しているとき、前記特定の送信手段によって緊急放送が行われている旨の情報である告知情報を前記他の送信手段が送信するように、前記特定の送信手段が前記他の送信手段に指示する配信情報切換システム。
【請求項５】
請求項４記載の配信情報切換システムにおいて、前記特定の送信手段が、前記告知情報の送信指示を、前記他の送信手段に伝送し、前記他の送信手段は、前記送信指示に応じて前記告知情報を送信する配信情報切換システム。
【請求項６】
請求項４記載の配信情報切換システムにおいて、前記複数の送信手段は、ネットワークを介して互いに通信可能に構成されると共に、前記告知情報の情報源とも通信可能に構成され、前記特定の送信手段が前記他の送信手段に前記ネットワークを介して前記告知情報の送信指示を伝送したとき、前記他の送信手段は、前記情報源から前記ネットワークを介して入手した前記告知情報を送信する配信情報切換システム。
【発明の詳細な説明】
【技術分野】
【０００１】
本発明は、例えば緊急放送情報を配信する配信情報切換システムに関する。
【背景技術】
【０００２】
従来、災害時に緊急放送を行う技術として、例えば特許文献１に開示されているものがある。特許文献１の技術は、テレビジョン放送局から送信される複数の地上デジタルテレビジョン放送を再送信する再送信装置において、複数の地上デジタルテレビジョン放送信号のいずれかにおいて緊急放送が行われたとき、緊急放送が行われていることを検出し再送信装置が備える自主デジタル放送においても緊急放送を行うものである。これによって、常に自主デジタル放送を視聴することによって緊急放送が行われていることを知ることができる。
【先行技術文献】
【特許文献】
【０００３】
【特許文献１】特開２００７−２５１２９８号公報
【発明の概要】
【発明が解決しようとする課題】
【０００４】
特許文献１の技術によれば、１台の再送信装置のサービスエリア内に設置されているデジタル放送受信機では、緊急放送を受信することができるが、他のサービスエリアでは、緊急放送を受信することができない。従って、異なるサービスエリアごとに、特許文献１に示されている技術を備えた再送信装置を設置しなければならず、構成が複雑になる上に、コストが高くなっていた。
【０００５】
本発明は、複数のサービスエリアにおいて簡単な構成で緊急放送を放送することができる配信情報切換システムを提供することを目的とする。
【課題を解決するための手段】
【０００６】
本発明の一態様の配信情報切換システムは、複数の送信手段を有し、複数の送信手段はデジタルテレビジョン信号を、それぞれが対応するサービスエリアに送信している。これら送信手段は、それぞれ異なる内容のデジタルテレビジョン信号を送信するものとすることができ、例えばデジタルサイネージのような自主放送用のものとすることができる。各送信手段によるサービスエリアへの送信は、送信手段が備えるアンテナから電波を放射することによって行うこともできるし、伝送線路を介してサービスエリア内の各住宅に伝送することもできる。前記複数の送信手段のうち特定の送信手段のサービスエリアは、前記複数の送信手段のうち前記特定の送信手段以外の送信手段である他の送信手段のサービスエリアと少なくとも一部が重複している。緊急放送の必要時に前記複数の送信手段のうち特定の送信手段がデジタルテレビジョン信号を介して送信している緊急放送情報と同じ内容のものをデジタルテレビジョン放送信号を介して、前記複数の送信手段のうち前記特定の送信手段以外の送信手段である他の送信手段が送信するように、前記特定の送信手段が前記他の送信手段に指示する。
【０００７】
このように構成された配信情報切換システムによれば、緊急放送を行っている特定の送信手段が緊急放送を行うと、自動的に他の送信手段からも緊急放送が行われ、複数のサービスエリアに緊急放送を送信することができる。
【０００８】
前記特定の送信手段が、前記緊急放送の情報と共に緊急放送への切換指示を、前記他の送信手段に伝送することができる。この場合、前記他の送信手段は、前記切換指示に応じて前記緊急放送情報をデジタルテレビジョン信号を介して送信する。このように構成すると、各送信手段が個別に緊急放送情報源を備える必要が無い。
【０００９】
或いは、前記複数の送信手段は、ネットワークを介して互いに通信可能に構成されると共に、前記緊急放送情報の情報源とも通信可能に構成されたものとすることもできる。この場合、前記特定の送信手段が前記他の送信手段に前記ネットワークを介して前記緊急放送の指示を伝送したとき、前記複数の送信手段は、前記情報源から前記ネットワークを介して入手した前記緊急放送情報をデジタルテレビジョン信号を介して送信する。
【００１０】
本発明の他の態様の配信情報切換システムでは、上記態様の配信情報切換システムと同様に複数の送信手段を有している。前記複数の送信手段のうち特定の送信手段のサービスエリアは、前記複数の送信手段のうち前記特定のもの以外の送信手段である他の送信手段のサービスエリアと少なくとも一部で重複している。前記特定の送信手段が、緊急放送の情報を送信しているとき、前記特定の送信手段によって緊急放送が行われている旨の情報である告知情報を前記他の送信手段が送信するように、前記特定の送信手段が前記他の送信手段に指示する。
【００１１】
このように構成すると、特定の送信手段によって緊急放送が行われている旨の情報である告知情報が前記他の送信手段によって送信され、特定の送信手段のサービスエリアは、他の送信手段のサービスエリアと少なくとも一部が重複しているので、他の送信手段のサービスエリア内の受信機を特定の送信手段からの送信を受信するようにすることによって緊急放送を受信することができる。
【００１２】
前記特定の送信手段が、前記告知情報の送信指示を、前記他の送信手段に伝送し、前記他の送信手段は、前記送信指示に応じて前記告知情報を送信するように構成することもできる。或いは、前記複数の送信手段は、ネットワークを介して互いに通信可能に構成されると共に、前記告知情報の情報源とも通信可能に構成され、前記特定の送信手段が前記他の送信手段に前記ネットワークを介して前記告知情報の送信指示を伝送したとき、前記他の送信手段は、前記情報源から前記ネットワークを介して入手した前記告知情報を送信するように構成することもできる。
【発明の効果】
【００１３】
以上のように、本発明によれば、複数のサービスエリアにおいて簡単な構成で緊急放送を放送することができる。
【図面の簡単な説明】
【００１４】
【図１】本発明の第１の実施形態の配信情報切換システムを実施した送信局のサービスエリアの関係を示す図である。
【図２】図１の各送信局の変調器の接続状態を示す図である。
【図３】図２の変調器の詳細なブロック図である。
【図４】本発明の第１の実施形態の配信情報切換システムにおける各送信局の変調器と災害用コンテンツとの接続状態を示す図である。
【発明を実施するための形態】
【００１５】
本発明の第１の実施形態の配信情報切換システムは、図１に示すように、複数の送信局、例えば４つの送信局２、４、６及び８間に実施される。送信局２は、サービスエリア２ａ内に、チャンネル（ｃｈ）ａを利用したデジタルテレビジョン信号によって情報を送信するものである。送信局４は、このサービスエリア２ａ内に設置され、サービスエリア２ａ内に含まれるサービスエリア４ａに、チャンネル（ｃｈ）ｂを利用したデジタルテレビジョン信号によって情報を送信する。送信局６も、サービスエリア２ａ内に設置され、サービスエリア２ａ内に含まれるが、サービスエリア４ａと非重複のサービスエリア６ａに、情報をチャンネル（ｃｈ）ｃを利用したデジタルテレビジョン信号によって送信する。送信局８も、サービスエリア２ａ内に設置され、サービスエリア２ａ内に含まれるが、サービスエリア４ａ及び６ａとは非重複のサービスエリア８ａに、情報をチャンネル（ｃｈ）ｄを利用したデジタルテレビジョン信号によって送信する。サービスエリア４ａでは、チャンネルａ及びｂのみを、サービスエリア６ａではチャンネルａ及びｃのみを、サービスエリア８ａでは、チャンネルａ及びｄのみを視聴できる。送信局２は、例えば自治体が運営して、サービスエリア２ａに自治体の情報を送信している。送信局４、６、８は、例えばサービスエリア４ａ、６ａ、８ａに存在する団体、例えば商店街、地下街、商業ビル、公園等が運営して、サービスエリア４ａ、６ａ、８ａに、その団体の情報を送信する。チャンネルａ、ｂ、ｃ及びｄはそれぞれ異なる周波数帯である。
【００１６】
各送信局２、４、６及び８が送信する情報の内容はそれぞれ異なるもので、送信局２、４、６及び８の事業者がそれぞれ独自に決定したものである。各サービスエリア２ａ、４ａ、６ａ及び８ａ内の各受信機への各チャンネルａ、ｂ、ｃ及びｄの伝送は、電波を使用して行うか、ＣＡＴＶの伝送網を介して行われる。
【００１７】
図２に示すように、送信局２はチャンネルａ用の変調器１０を有し、送信局４はチャンネルｂ用の変調器１２を有し、送信局６はチャンネルｃ用の変調器１４を有し、送信局８はチャンネルｄ用の変調器１６を有している。
【００１８】
送信局４、６及び８のサービスエリア４ａ、６ａ及び８ａを内部に含むサービスエリア２ａを持つ送信局２の変調器１０は、図３に示すように制御部１８とチャンネルａ用の変調部２０とを有している。チャンネルａ用変調部２０には、通常状態では、選択手段、例えば切換スイッチ２２を介してチャンネルａ局通常配信情報が供給される。チャンネルａの搬送波は、この通常配信情報をデジタル変調してサービスエリア２ａ内に送信される。通常配信情報とは、例えば広告や案内等に関する通常サービス用の映像や音声、データ放送等である。
【００１９】
他の送信局４、６、８も図示していないが、同様に構成されており、通常状態では、通常配信情報が変調部に切換スイッチを介して供給されており、通常配信情報によって搬送波がデジタル変調されて、各サービスエリア４ａ、６ａ、８ａに送信されている。各送信局２、４、６、８における通常配信情報は、上述したようにそれぞれ内容が異なるものである。
【００２０】
図２に示すようにチャンネルａ用変調器１０から、チャンネルｂ用変調器１２、チャンネルｃ用変調器１４及びチャンネルｄ用変調器１６に、ネットワークまたは通信回線を介してデータの送信を行えるように、チャンネルａ用変調器１０、チャンネルｂ用変調器１２、チャンネルｃ用変調器１４及びチャンネルｄ用変調器１６は、接続されている。特に、この通信は、それぞれの制御部を介して行われる。
【００２１】
チャンネルａ用変調器１０は、緊急時に放送する緊急放送情報、例えば避難場所等を表す予め想定された映像や音声、データ放送等の災害情報を災害用の放送ＴＳ（トランスポートストリーム）として、自己が備えるサーバー用パーソナルコンピュータ（図示せず）に記憶している。実際に災害が発生したとき、例えば気象庁等から無線やインターネットによって災害情報がサーバー用パーソナルコンピュータへ送信されると、サーバー用パーソナルコンピュータから制御部１８に制御コマンドが供給されると共に、災害用の放送ＴＳが供給され、制御部１８は切換スイッチ２２を切り換えて、災害用の放送ＴＳをチャンネルａ用変調部１０に供給する。これによって、サービスエリア２ａに災害情報がデジタルテレビジョン信号を介して送信される。この制御コマンドと災害用の放送ＴＳとは、チャンネルａ用変調器１０の制御部１８からチャンネルｂ用変調器１２、チャンネルｃ用変調器１４及びチャンネルｄ用変調器１６の制御部に供給され、チャンネルａと同様にして、災害情報がサービスエリア４ａ、６ａ、８ａにデジタルテレビジョン信号を介してそれぞれ伝送される。即ち、チャンネルｂ用変調器１２、チャンネルｃ用変調器１４及びチャンネルｄ用変調器１６が災害用の放送ＴＳを送信するように、チャンネルａ用変調器１０から指示が、チャンネルｂ用変調器１２、チャンネルｃ用変調器１４及びチャンネルｄ用変調器１６が与えられる。なお、チャンネルａ用変調器１０において、制御コマンドはサーバー用パーソナルコンピュータから制御部１８に供給されるように構成したが、制御部１８が制御コマンドを例えば外部からの指示に従って発生するように構成することもできる。
【００２２】
従って、災害用の放送ＴＳを送信局２のチャンネルａ用変調器１０に備えておくだけで、送信局２のサービスエリア２ａ以外のサービスエリア４ａ、６ａ、８ａにも送信することができ、いちいち各送信局４、６、８に災害ＴＳを備えておく必要がない。例えば送信局２を或る都市の市役所のような公共機関が運営しているものとし、他の送信局４、６、８を、その都市内にある地下街や商店街によって運営されているものとすると、その都市の市役所での災害についての情報を一斉に確実に報知することができる。
【００２３】
本発明の第２の実施形態の配信切換システムを図４に示す。この実施形態では、チャンネルａ用変調器１０、チャンネルｂ用変調器１２、チャンネルｃ用変調器１４及びチャンネルｄ用変調器１６がネットワーク２４によって接続され、このネットワーク２４には災害のコンテンツ２６が接続され、このコンテンツ２６から災害情報が、ネットワーク２４を介していずれの変調器１０、１２、１４、１６にも供給可能に構成されている。そして、例えばチャンネルａ用変調器１０に制御コマンドが供給されると、チャンネルａ用変調器１０からネットワーク２４を介して他の変調器１２、１４、１６に災害情報の送信を指示する制御コマンドが供給され、各変調器１０、１２、１４、１６は災害用コンテンツ２６から災害情報をネットワーク２４を介して取得し、これが通常配信情報に代えて、各サービスエリア２ａ、４ａ、６ａ、８ａに送信される。
【００２４】
このように、災害情報を備えた災害用コンテンツ２６をネットワーク２４を介して各変調器１０、１２、１４、１６が取得するように構成すると、チャンネルａ用変調器１０が災害情報を備えておく必要が無く、その構成を簡略化することができる。
【００２５】
上記の２つの実施形態では、チャンネルｂ用変調器１２、チャンネルｃ用変調器１４及びチャンネルｄ用変調器１６からチャンネルａ用変調器１０と同じ災害情報を伝送するように構成したが、これに限ったものではなく、例えばチャンネルａ用変調器１０を備える送信局２から、災害情報が送信されており、チャンネルａを見ることを促す告知情報、例えば視聴促進情報をチャンネルｂ用変調器１２、チャンネルｃ用変調器１４及びチャンネルｄ用変調器１６から送信するように構成することもできる。この場合、第１の実施形態では、チャンネルａ用送信機のサーバーからチャンネルｂ用変調器１２、チャンネルｃ用変調器１４及びチャンネルｄ用変調器１６に視聴促進情報を送信し、第２の実施形態では、災害用コンテンツ２６に災害情報と共に視聴促進情報を格納しておき、チャンネルａ用変調器１０は、災害用コンテンツ２６から災害情報を取得し、チャンネルｂ用変調器１２、チャンネルｃ用変調器１４及びチャンネルｄ用変調器１６は、災害用コンテンツ２６から視聴促進情報を取得する。これらの場合にも、チャンネルａ用変調器１０に制御コマンドが供給されると、制御コマンドがチャンネルｂ用変調器１２、チャンネルｃ用変調器１４及びチャンネルｄ用変調器１６に伝送され、視聴促進情報を送信するようにチャンネルａ用送信機１０から指示される。なお、視聴促進情報を送信するのに加えて、チャンネルｂ用変調器１２、チャンネルｃ用変調器１４及びチャンネルｄ用変調器１６からも、災害情報を送信するようにすることもできる。これによって、視聴促進情報及び災害情報のうち所望のものをチャンネルｂ用変調器１２、チャンネルｃ用変調器１４及びチャンネルｄ用変調器１６から送信することができる。災害情報を送信する場合、チャンネルｂ用変調器１２、チャンネルｃ用変調器１４及びチャンネルｄ用変調器１６は、災害コンテンツ２６から災害情報を取得する。
【００２６】
上記の実施形態では、送信局４、６、８のサービスエリア４ａ、６ａ、８ａは、全て送信局２のサービスエリア２ａ内に含まれているものを示したが、これらサービスエリア４ａ、６ａ、８ａのいずれかに代えて、或いはこれらサービスエリア４ａ、６ａ、８ａに加えて、一部がサービスエリア２ａと重なるサービスエリアを持つ送信局に、第１または第２の実施形態の送信局４、６、８と同様に変調器を設け、災害情報または視聴促進情報を、一部がサービスエリア２ａと重なるサービスエリアに送信することもできる。上記の２つの実施形態では、各送信局２、４、６、８が送信する情報は、通常状態ではそれぞれ異なる内容のものとしたが、例えば送信局４、６、８を、送信局２の再送信局として、送信局２が送信する情報と同じ情報を送信局４、６、８が送信するように構成することもできる。
【符号の説明】
【００２７】
２  ４  ６  ８  送信局（送信手段）
２ａ  ４ａ  ６ａ  ８ａ  サービスエリア
【図１】
2013074421.tif 000003
【図２】
2013074421.tif 000004
【図３】
2013074421.tif 000005
【図４】
2013074421.tif 000006